(57)【要約】【課題】リアカバーの一部を押圧することにより、リアカバーをリアケースから容易に取り外せる携帯端末装置を提供する。【解決手段】リアケース２に対して着脱可能に取り付けられるリアカバー３を備えた携帯端末装置１０であり、リアケース２の外周縁部の複数個所に係合凹部２１を設け、リアカバー３にはこれに対向する位置に係合凹部２１に係合する係合凸部３１を設け、係合凹部２１と係合凸部３１がある位置よりも内側のリアケース２の外面とリアカバー３の内面の何れか又は両方に突起４を設け、突起４よりも内側のリアカバー３の内面にはリアケース２との間に内部空間５を形成するための凹部３３を設け、リアカバー３を外側から押して内部空間５内に変形させた時に、突起４が支点となって係合凸部３１と係合凹部２１との係合が外れるようにした携帯端末装置である。【選択図】図５
2014121072.tif 000002
【特許請求の範囲】
【請求項１】
リアケースを備え、該リアケースにリアカバーが着脱可能に取り付けられる携帯端末装置であって、
前記リアケースの外周縁部の複数個所に設けられた係合凹部と、
前記リアカバーに設けられ、前記リアカバーが前記リアケースに取り付けられた時に前記係合凹部に係合する係合凸部と、
前記係合凹部と前記係合凸部とが形成された位置よりも内側の前記リアケースの外面と前記リアカバーの内面の少なくとも一方に設けられた突起とを備え、
前記突起よりも内側の前記リアケースと前記リアカバーの対向面の少なくとも一方には、前記リアカバーの前記リアケース側への移動を可能とする内部空間を形成するための凹部が設けられ、
前記内部空間の外側から前記リアカバーが押圧され、前記リアカバーの押圧部が変形して前記内部空間側に移動した時に、前記突起を支点として前記係合凸部が移動し、前記係合凸部と前記係合凹部との係合が解除されることを特徴とする携帯端末装置。
【請求項２】
前記突起が前記リアカバーの内面に設けられていることを特徴とする請求項１に記載の携帯端末装置。
【請求項３】
前記突起が前記リアケースの外面に設けられていることを特徴とする請求項１に記載の携帯端末装置。
【請求項４】
前記突起が前記リアカバーの内面と前記リアケースの外面の両方に、対向した状態で設けられていることを特徴とする請求項１に記載の携帯端末装置。
【請求項５】
前記凹部が、前記リアカバーの内面を窪ませることによって形成されていることを特徴とする請求項１から３の何れか１項に記載の携帯端末装置。
【発明の詳細な説明】
【技術分野】
【０００１】
本出願はリアケースを備え、該リアケースにリアカバーが着脱可能に取り付けられる携帯端末装置に関する。
【背景技術】
【０００２】
近年、携帯電話機等の携帯型の情報端末（以後携帯端末装置という）が普及している。携帯端末装置は一般に筐体内にバッテリを内蔵しており、電源の無い屋外でも使用できる。一方、携帯端末装置の筐体に内蔵されるバッテリは、乾電池の場合は頻繁に交換する必要があり、内蔵したまま充電できる充電池の場合でも長期使用の後に交換する必要がある。また、携帯端末装置の筐体内にはバッテリの近傍にメモリカードが挿入されるようになっているものもある。このため、携帯端末装置の筐体には、その裏面側にバッテリやメモリカードを交換するためのカバーが設けられている。このようなカバーの一例として、特許文献１に開示の携帯電話機のバッテリケースでは、バッテリケースにバッテリを収納する凹部形状の収納部があり、この収納部にバッテリケースから着脱可能なカバーが取り付けられるようになっている。
【０００３】
特許文献１に開示されるようなバッテリカバーが着脱可能な携帯端末装置においては、バッテリカバーは筐体に対してスライドさせて結合するようになっている。このため、バッテリ収納部の両側に設けられたレールの上部には凹部と凸部とが設けられており、バッテリカバーの内面側にはレールの凹部と凸部に対応する凸部と凹部が設けられている。バッテリカバーを筐体に取り付ける時には、バッテリカバーの凸部と凹部をレールの凹部と凸部に上方から挿入して通過させ、バッテリカバーの凸部の先端部をレールに係合させ、バッテリカバーをレールに沿ってスライドさせる。
【０００４】
一方、スマートフォンのような多機能携帯電話機では、バッテリ収容部より広い部分にカバーが設けられていたり、筐体の裏面全体がカバーになっていて、カバーは筐体に対して垂直方向から嵌め合わせるようになっている。なお、一般に携帯電話機の筐体にはフロントケースとリアケースがあり、筐体の裏面全体がカバーになっている場合であっても、カバーの下にはリアケースがある。以後、リアケースに取り付けるカバーをリアカバーという。
【０００５】
図１（ａ）は携帯端末装置である既存のスマートフォン１０のリアカバー３を開ける手順を説明する図である。リアカバー３にはリアケース２に嵌め合せる嵌合爪が内部に設けられており、リアケース２側には嵌合爪が嵌め合せられる嵌合凹部がある。そして、リアカバー３をリアケース２に嵌め合せる時には、嵌合爪と嵌合凹部の位置を合わせ、リアカバー３をリアケース２に対して押し付けると、リアカバー３がリアケース２に取り付けられる。逆に、リアケース２からリアカバ３ーを外す時は、スマートフォン１０の底部ＢＴ側のリアケース２とリアカバー３の境界部に設けられたひっかけ部１２に、コインを挿入して捻ったり、指（爪）をかけてリアカバー３を矢印方向に引き上げて外していた。
【先行技術文献】
【特許文献】
【０００６】
【特許文献１】特開平１１−１３５０９２号公報
【発明の概要】
【発明が解決しようとする課題】
【０００７】
ところが、リアカバー３をリアケース２から引き剥がす場合、図１（ａ）に示したように、スマートフォン１０のひっかけ部１２に指をかけてリアカバー３を引き上げると、底部ＢＴの両側にある嵌合爪が嵌合凹部に食い込み、引き剥がし難いという課題があった。
【０００８】
この課題を図１（ｂ）を用いて説明する。図１（ｂ）は図１（ａ）に示したスマートフォン１０の底部ＢＴに近い左側部ＬＳと右側部ＲＳのうち、左側部ＬＳの断面を拡大して示すものである。スマートフォン１０のひっかけ部１２に指をかけてリアカバー３を引き上げると、リアカバー３の中央部には矢印で示す引き上げ力Ｕが作用するが、この引き上げ力Ｕによって左側部ＬＳにおいては、リアカバー３の左端部３Ｌが矢印ＴＷで示すように捩れる。すると、リアカバー３の左端部３Ｌに設けられた嵌合爪３２が、リアケース２の左端部２Ｌに設けられた嵌合凹部２２に食い込んでしまう。この結果、スマートフォン１０のひっかけ部１２に指をかけてリアカバー３を引き上げると、底部ＢＴの両側部ＬＳ，ＲＳにおいて、嵌合爪３２が嵌合凹部２２に食い込み、リアカバー３が引き剥がし難くなり、嵌合爪３２が破損する虞がある。なお、図１（ｂ）において、符号１はフロントケースを示している。
【０００９】
１つの側面では、本出願は、リアカバーをリアケースから着脱可能な携帯端末装置において、リアカバーの一部を押圧しながら剥がすことにより、リアカバーをリアケースから容易に取り外せる携帯端末装置を提供する。
【課題を解決するための手段】
【００１０】
１つの態様によれば、リアケースを備え、リアケースにリアカバーが着脱可能に取り付けられる携帯端末装置であって、リアケースの外周縁部の複数個所に設けられた係合凹部と、リアカバーに設けられ、リアカバーがリアケースに取り付けられた時に係合凹部に係合する係合凸部と、係合凹部と係合凸部とが形成された位置よりも内側のリアケースの外面とリアカバーの内面の少なくとも一方に設けられた突起とを備え、突起よりも内側のリアケースとリアカバーの対向面の少なくとも一方には、リアカバーのリアケース側への移動を可能とする内部空間を形成するための凹部が設けられ、内部空間の外側からリアカバーが押圧され、リアカバーの押圧部が変形して内部空間側に移動した時に、突起を支点として係合凸部)が移動し、係合凸部と係合凹部との係合が解除されることを特徴とする携帯端末装置が提供される。
【図面の簡単な説明】
【００１１】
【図１】（ａ）は既存のスマートフォンのリアカバーを開ける手順を説明するスマートフォンを裏面側から見た斜視図、（ｂ）は（ａ）に示した手順でスマートフォンのリアカバーをリアケースから外す際のリアカバーのリアケースとの嵌合部の動きを説明する部分断面図である。
【図２】（ａ）は本出願が対象とする携帯端末装置の一例のスマートフォンを正面側から見た斜視図、（ｂ）は（ａ）に示したスマートフォンを裏面側から見た斜視図、（ｃ）は（ｂ）に示したスマートフォンからフロントケースとリアカバーを除去してリアケースのみを示す斜視図、（ｄ）は（ｂ）のＤ部の断面図、（ｅ）は（ｃ）のＥ部の部分拡大斜視図である。
【図３】（ａ）は図２（ｂ）に示したリアカバーの非防水仕様の実施例をリアケースから取り外して裏面側から見た斜視図、（ｂ）は（ａ）のＢ部の部分拡大斜視図である。
【図４】図２（ｂ）に示したリアカバーの防水仕様の実施例をリアケースから取り外して裏面側から見た背面図である。
【図５】（ａ）は図４に示したリアカバーの正面図、（ｂ）は（ａ）に示したリアカバーに本出願の第１の実施例の着脱機構が採用された時のＡ部の部分拡大断面図、（ｃ）は（ｂ）に示した断面図のマークの部分に外力が印加された時のリアカバーの係合凸部の変形を説明する部分拡大断面図である。
【図６】本出願の着脱機構が採用された携帯端末装置の一例であるスマートフォンに外力を加えてリアカバーを外す場合の動作を説明する斜視図である。
【図７】（ａ）は図３に示した非防水仕様のリアカバーの背面図、（ｂ）は（ａ）に示したリアカバーに本出願の着脱機構が採用された時のＣ部の部分拡大断面図、（ｃ）は（ｂ）に示した断面図のマークの部分に外力が印加された時のリアカバーの係合凸部の変形を説明する部分拡大断面図である。
【図８】（ａ）は図４に示したリアカバーに本出願の第２の実施例の着脱機構が採用された時の部分拡大断面図、（ｂ）は（ａ）に示した断面図のマークの部分に外力が印加された時のリアカバーの係合凸部の変形を説明する部分拡大断面図である。
【図９】（ａ）は図３に示したリアカバーに本出願の第２の実施例の着脱機構が採用された時の部分拡大断面図、（ｂ）は（ａ）に示した断面図のマークの部分に外力が印加された時のリアカバーの係合凸部の変形を説明する部分拡大断面図である。
【図１０】（ａ）は図４に示したリアカバーに本出願の第３の実施例の着脱機構が採用された時の部分拡大断面図、（ｂ）は（ａ）に示した断面図のマークの部分に外力が印加された時のリアカバーの係合凸部の変形を説明する部分拡大断面図である。
【図１１】（ａ）は本出願の第４の実施例の着脱機構が採用されたリアカバーの平面図、（ｂ）は（ａ）に示したリアカバーのＸ−Ｘ線における断面図、（ｃ）は（ｂ）に示したリアカバーの中央部に外力が印加された時のリアカバーの係合凸部の変形を説明する断面図である。
【発明を実施するための形態】
【００１２】
以下、添付図面を用いて本出願の実施の形態を、具体的な実施例に基づいて詳細に説明する。なお、図１（ａ）、（ｂ）に示した部材と同じ機能を備えた部材については、形状は異なっても、同じ符号を付して説明する。
【００１３】
図２（ａ）は本出願が対象とする携帯端末装置の一実施例であるスマートフォン１０を正面側から見たものである。スマートフォン１０の筐体１１は、ディスプレイ１３が設けられたフロントケース１とリアケース２及びリアケース２に着脱自在に取り付けられるリアカバー３とを備えている。図２（ｂ）は図２（ａ）に示したスマートフォン１０を裏面側から見たものであり、リアケース２に取り付けられるリアカバー３の形状がこの図から分かる。リアカバー３は、筐体１１の内部にあるバッテリやメモリカードの交換時にリアケース２から外される。尚、この実施例では、リアカバー３はリアケース２の全面を覆うタイプのものではない。また、リアカバー３の底部ＢＴの近くには、リアカバー３を外す時の目印として、マーク又は膨らみ部３４が形成されている。
【００１４】
図２（ｃ）は図２（ｂ）に示したスマートフォン１０からフロントケース１とその内蔵部品及びリアカバー３を除去してリアケース２のみを示したものである。リアケース２のリアカバー３を外した時に現れる部分には開口部２３があり、この開口部２３の中にバッテリやメモリカードが挿入される。リアケース２の下端部には、図２（ｅ）に示すようにリアカバー３に設けられた係合凸部を受け入れる係合凹部２１が設けられている。
【００１５】
図２（ｄ）は図２（ｂ）の破線Ｄで示す部分の断面を拡大して示すものであり、本出願の第１の実施例のリアカバー３の着脱機構が採用されている。スマートフォン１０のフロントケース１にはリアケース２が嵌め合わされており、リアケース２にリアカバー３が取り付けられている。また、スマートフォン１０が防水仕様の場合には、リアケース２とリアカバー３の間には防水ガスケット６が設けられており、防水ガスケット６より内側には水分が浸入しないようになっている。そして、リアケース２の底部ＢＴ側の端部には係合凹部２１が形成されており、リアカバー３の係合凹部２１に対向する位置には係合凸部３１が設けられている。更に、リアカバー３の表面には、リアカバー３を外す時に押す場所の目印として、膨らみ部３４が形成されている。リアケース２にリアカバー３が取り付けられた状態では、係合凹部２１に係合凸部３１が係合していて、リアカバー３がリアケース２から外れないようになっている。
【００１６】
第１の実施例では、リアカバー３の内面であって、係合凸部３１が設けられた位置よりも内側の位置に、頂点がリアケース２に当接する突起４が設けられている。突起４は、例えばドーム状をしている。係合凸部３１とこの突起４とはスマートフォン１０の長手方向において同じ線上にあるようにする。更に、リアケース２とリアカバー３の間であって、突起４よりも内側の位置には、リアカバー３の変形を受け入れることが可能な内部空間５が設けられている。第１の実施例では、内部空間５はリアカバー３の内面を窪ませた凹部３３によって形成されている。リアケース２の外面を窪ませた凹部、リアカバー３の内面とリアケース２の外面の両方を窪ませた対向する凹部を設けることによって内部空間５を形成した変形実施例も可能である。内部空間５は、リアカバー３の内面またはリアケース２の外面を円形に窪ませた凹部、或いは楕円形に窪ませた凹部によって形成することができる。
【００１７】
図３（ａ）は図２（ｂ）に示したリアカバー３であって、非防水仕様のリアカバー３をリアケース２から取り外して裏面側から見たものである。リアカバー３の裏面側の両端部には、所定間隔で係合凸部３１が設けられており、リアカバー３の裏面側の下端部にも図３（ｂ）に示す部分拡大図に示すように係合凸部３１が設けられている。そして、係合凸部３１よりも内側のリアカバー３の内面部分に突起４が設けられている。
【００１８】
一方、図４は図２（ｂ）に示したリアカバー３であって、防水仕様のリアカバー３をリアケース２から取り外して裏面側から見たものである。リアカバー３の裏面側の両端部には所定間隔で複数の係合凸部３１が設けられており、底部ＢＴには中央部に係合凸部３１が設けられている。防水ガスケット６はゴム等の柔軟な部材でできており、リアカバー３の外縁部から所定距離だけ内側の部分に、リアカバー３の内面を周回して取り付けられている。突起４は係合凸部３１と防水ガスケット６の間の部分に設けられる。図４の底部ＢＴの近傍に示される丸印は凹部３３を示しており、この部分のリアカバー３が窪まされて肉厚が薄くなっている。リアカバー３の凹部３３が設けられた部分の反対側の面がリアカバー３をリアケースから剥がす時の操作部となっている。そして、操作部を押した時に、防水ガスケット６による反力が軽減されるようにするために、防水ガスケット６から凹部３３までの長さＡを、凹部３３から係合凸部３１までの長さＢよりも長くしてある。
【００１９】
図５（ａ）は図４に示したリアカバー３の正面図である。リアカバー３の底部ＢＴの近傍には、この実施例ではリアカバー３を取り外す時に押す位置を示すマーク３４が印刷されている。図５（ｂ）は図５（ａ）に示したリアカバー３のＡ部の部分拡大断面図であり、本出願の第１の実施例の着脱機構が採用された状態を示している。スマートフォン１０では、フロントケース１にリアケース２が嵌め合わされており、リアケース２にリアカバー３が取り付けられている。そして、リアケース２の底部ＢＴ側の端部に形成された係合凹部２１に、リアカバー３の係合凸部３１が係合している。
【００２０】
係合凸部３１より内側のリアカバー３の内面には、先端部がリアケース２に当接する突起４が形成されている。また、突起４より内側のリアカバー３の内面には防水ガスケット６が設けられている。リアケース２にリアカバー３が取り付けられた状態では、防水ガスケット６の先端部はリアケース２に密着しており、防水ガスケット６より内部側への水の浸入を防止している。この実施例では、突起４と防水ガスケット６の間の部分のリアカバー３の内面が窪まされて凹部３３が形成されていると共に、この部分のリアカバー３の外面も窪まされて凹部３５が形成されている。そして、リアカバー３の表面には、リアカバー３を取り外す時に押す位置を示すマーク３４が印刷されており、この部分のリアケース２とリアカバー３の間には凹部３３による内部空間５が形成されている。なお、内部空間５は、リアケース２の外面を窪ませた凹部によって形成しても良く、また、リアカバー３の内面とリアケース２の外面の両方を窪ませた凹部により形成しても良い。
【００２１】
図５（ｃ）は図５（ｂ）に示したマーク３４の部分に外力Ｐが印加された時のリアカバー３の係合凸部３１の変形を説明するものである。リアカバー３のマーク３４の部分に外力Ｐが印加されると、リアカバー３のマーク３４がある部分は凹部３３，３５によって肉厚が薄くなっているので、リアカバー３が容易に変形して内部空間５内に移動する。リアカバー３が内部空間５内に移動して変形すると、「てこの原理」により、リアカバー３の両端部３６は突起４を支点として広がり、リアカバー３の両端部３６に位置する係合凸部３１が矢印で示すように持ち上がり、係合凸部３１と係合凹部２１との係合が外れる。係合凸部３１と係合凹部２１との係合が外れてリアカバー３の底部ＢＴ側の端部３６が浮き上がれば、端部３６に指を引っ掛けてリアカバー３を引き剥がすことができる。
【００２２】
リアカバー３の底部ＢＴに近い左側部と右側部にも、リアカバー３の内面に突起があるので、リアカバー３のマーク３４の部分に外力Ｐが印加されている状態では、リアカバー３の底部ＢＴに近い左側部と右側部においても係合凸部３１が係合凹部２１から外れる。このため、リアカバー３の底部ＢＴ側の端部３６に指を引っ掛けてリアカバー３を引き剥がす際に、リアカバー３の底部ＢＴに近い左側部と右側部にある係合凸部３１が係合凹部２１から外れているので、リアケース２からリアカバー３を容易に外すことができる。
【００２３】
図６は本出願の着脱機構が採用されたスマートフォン１０に外力を加えてリアカバー３を外す場合の実際の動作を説明するものである。図６に示したスマートフォン１０は、リアカバー３がリアケース２の全面を覆うタイプのものである。スマートフォン１０からリアカバー３を外す場合は、スマートフォン１０の裏側を上にして左手ＬＨで保持し（右利きの場合で、左利きの場合は逆の手になる）、右手ＲＨの人差し指Ｆ１で図５（ａ）に示したマーク又は膨らみ部３４を押す。そして、リアカバー３の端部が浮き上がったら、右手の親指Ｆ２で端部３６を持ち上げればリアカバー３を引き剥がすことができる。
【００２４】
図７（ａ）は図３に示した非防水仕様のリアカバー３を裏面側から見たものである。非防水仕様のため、リアカバー３の内面には防水ガスケットは設けられていない。リアカバー３の底部ＢＴ側の内面には突起４が設けられている。図７（ｂ）は図７（ａ）に示したリアカバー３のＣ部の部分拡大断面図であり、本出願の第１の実施例の着脱機構が採用された状態を示している。フロントケース１にリアケース２が嵌め合わされており、リアケース２にリアカバー３が取り付けられている。そして、リアケース２の底部ＢＴ側の端部に形成された係合凹部２１に、リアカバー３の係合凸部３１が係合している。
【００２５】
非防水仕様のリアカバー３では、リアカバー３とリアケース２の係合凸部３１と係合凹部２１の隙間ａ１とリアカバー３の先端部とリアケース２との間の隙間ｂは平行に形成されている。その他の構成は、図５（ｂ）で説明したリアカバー３とリアケース２の構成から防水ガスケット６を抜いただけで同じである。よって、同じ構成部材には同じ符号を付してその説明を省略する。
【００２６】
図７（ｃ）は図７（ｂ）に示したマーク３４の部分に外力Ｐが印加された時のリアカバー３の係合凸部３１の変形を説明するものである。非防水仕様のリアカバー３でも、リアカバー３のマーク３４の部分に外力Ｐが印加されると、リアカバー３のマーク３４がある部分は凹部３３，３５によって肉厚が薄くなっているので、リアカバー３が容易に変形して内部空間５内に移動する。リアカバー３が内部空間５内に移動して変形すると、リアカバー３の両端部は突起４を支点として広がり、リアカバー３の両端部に位置する係合凸部３１が矢印で示すように浮き上がり、係合凸部３１と係合凹部２１との係合が外れる。係合凸部３１と係合凹部２１との係合が外れてリアカバー３の底部ＢＴ側の端部３６が浮き上がった状態で、端部３６に指を引っ掛けてリアカバー３を引き剥がすことができる。
【００２７】
非防水仕様のリアカバー３でも、リアカバー３の底部ＢＴに近い左側部と右側部にも、リアカバー３の内面に突起がある。そして、リアカバー３のマーク３４の部分に外力Ｐが印加されている状態では、リアカバー３の底部ＢＴに近い左側部と右側部においても係合凸部３１が係合凹部２１から外れる。このため、リアカバー３の底部ＢＴ側の端部３６に指を引っ掛けてリアカバー３を引き上げる際に、リアカバー３の底部ＢＴに近い左側部と右側部でも係合凸部３１が係合凹部２１から外れているので、リアケース２からリアカバー３を容易に外すことができる。
【００２８】
図８（ａ）は図４に示したリアカバー３に本出願の第２の実施例の着脱機構が採用された時のＡ部の拡大断面を示すものである。第１の実施例の着脱機構では、図５（ｂ）に示したように、係合凸部３１より内側のリアカバー３の内面に、先端部がリアケース２に当接する突起４が形成されていた。一方、第２の実施例の着脱機構では、図８（ｂ）に示すように、係合凸部３１より内側のリアカバー３の内面には、突起４は形成されていない。その代わりに、突起４が形成されていたリアカバー３の内面に対向するリアケース２の外面に、突起４と同じ形の突起４Ａが形成されている。突起４Ａの先端部はリアカバー３の内面に当接している。第２の実施例の着脱機構のその他の部材は、図５（ａ）に示した第１の実施例の着脱機構にある部材と全く同じであるので、同じ部材には同じ符号を付してその説明を省略する。
【００２９】
図８（ｂ）は図８（ａ）に示したマーク３４の部分に外力Ｐが印加された時のリアカバー３の係合凸部３１の変形を説明するものである。リアカバー３のマーク３４の部分に外力Ｐが印加されると、リアカバー３のマーク３４がある部分は凹部３３，３５によって肉厚が薄くなっているので、リアカバー３が容易に変形して内部空間５内に移動する。リアカバー３が内部空間５内に移動して変形すると、リアカバー３の両端部は突起４Ａを支点として広がり、リアカバー３の両端部に位置する係合凸部３１が矢印で示すように持ち上がり、係合凸部３１と係合凹部２１との係合が外れる。係合凸部３１と係合凹部２１との係合が外れてリアカバー３の底部ＢＴ側の端部３６が浮き上がった状態で、端部３６に指を引っ掛けてリアカバー３を引き剥がすことができる。
【００３０】
リアカバー３の底部ＢＴに近い左側部と右側部にも、リアケース２の外面に突起があるので、リアカバー３のマーク３４の部分に外力Ｐが印加されている状態では、リアカバー３の底部ＢＴに近い左側部と右側部においても係合凸部３１が係合凹部２１から外れる。このため、リアカバー３の底部ＢＴ側の端部３６に指を引っ掛けてリアカバー３をリアケース２から外す際に、リアカバー３の底部ＢＴに近い左側部と右側部で係合凸部３１が係合凹部２１から外れており、リアケース２からリアカバー３を容易に外すことができる。
【００３１】
図９（ａ）は図３に示した非防水仕様のリアカバー３に本出願の第２の実施例の着脱機構が採用された時のＢ部を拡大したものであり、図９（ｂ）は図９（ａ）に示したマーク３４に外力Ｐが印加された時のリアカバー３の係合凸部３１の変形を説明するものである。第１の実施例の着脱機構では、図７（ｂ）に示したように、係合凸部３１より内側のリアカバー３の内面には、先端部がリアケース２に当接する突起４が形成されていた。
【００３２】
一方、第２の実施例の着脱機構では、図９（ａ）に示すように、係合凸部３１より内側のリアカバー３の内面には、突起４は形成されていない。その代わりに、突起４が形成されていたリアカバー３の内面に対向するリアケース２の外面に、突起４と同じ形の突起４Ａが形成されている。突起４Ａの先端部はリアカバー３の内面に当接している。第２の実施例の着脱機構のその他の部材は、図７（ａ）に示した第１の実施例の着脱機構にある部材と全く同じであるので、同じ部材には同じ符号を付してその説明を省略する。
【００３３】
非防水仕様のリアカバー３でも、リアカバー３のマーク３４の部分に外力Ｐが印加された時のリアカバー３の両端部に位置する係合凸部３１の変形は、図８（ｂ）で説明した係合凸部３１の変形と同様であり、係合凸部３１と係合凹部２１との係合が外れる。よって、第２の実施例でも係合凸部３１と係合凹部２１との係合が外れてリアカバー３の底部ＢＴ側の端部３６が浮き上がった状態で、端部３６に指を引っ掛けてリアカバー３を引き剥がすことができる。この時、リアカバー３の底部ＢＴに近い左側部と右側部にもリアケース２の外面に突起があるので、リアカバー３のマーク３４の部分に外力Ｐが印加されると、リアカバー３の底部ＢＴに近い左側部と右側部においても係合凸部３１が係合凹部２１から外れる。このため、リアカバー３の端部３６に指を引っ掛けてリアカバー３をリアケース２から外す際に、リアカバー３の底部ＢＴに近い左側部と右側部では係合凸部３１が係合凹部２１から外れており、リアケース２からリアカバー３を容易に外すことが可能である。
【００３４】
図１０（ａ）は図４に示したリアカバー３に本出願の第３の実施例の着脱機構が採用された時のＡ部の拡大断面を示すものである。また、図１０（ｂ）は図１０（ａ）に示したマーク３４に外力Ｐが印加された時のリアカバー３の係合凸部３１の変形を説明するものである。第１の実施例の着脱機構では、図５（ｂ）に示したように、係合凸部３１より内側のリアカバー３の内面には、先端部がリアケース２に当接する突起４が形成されていた。また、第２の実施例の着脱機構では、図８（ｂ）に示すように、リアケース２の外面に、突起４と同じ形の突起４Ａが形成されていた。
【００３５】
一方、第３の実施例の着脱機構では、係合凸部３１より内側のリアカバー３の内面の突起４が形成されていた位置に、高さが半分程度の突起４Ｂが形成されている。これに加えて、第３の実施例の着脱機構では、突起４Ａが形成されていたリアケース２の外面に、高さが半分程度の突起４Ｃが形成されている。突起４Ｂの先端部と突起４Ｃの先端部は、リアケース２にリアカバー３が取り付けられた状態で当接している。突起４Ｂと突起４Ｃの高さは同じでなくても良い。第３の実施例の着脱機構のその他の部材は、図５（ａ）に示した第１の実施例の着脱機構にある部材と全く同じであるので、同じ部材には同じ符号を付してその説明を省略する。
【００３６】
第３の実施例の着脱機構においても、リアカバー３のマーク３４の部分に外力Ｐが印加された時のリアカバー３の両端部に位置する係合凸部３１の変形は、第１及び第２の実施例における係合凸部３１の変形と同様であるので、その説明を省略する。また、第３の実施例の着脱機構は、第１と第２の着脱機構と同様に、非防水仕様のリアカバー３にも適用することが可能であるが、その構成及び動作は第１と第２の実施例と類似であるので、図示及びその説明を省略する。
【００３７】
図１１（ａ）は本出願の第４の実施例の着脱機構が採用されたリアカバー３を示している。第１から第３の実施例では、リアカバー３の底部ＢＴの近傍に突起４と内部空間５が設けられており、内部空間５の表側のリアカバー３に外力を加えることによって、リアカバー３の底面ＢＴ側にある係合凹部２１と係合凸部３１との係合を解除していた。これに対して、第４の実施例は、リアカバー３に設けられた防水ガスケット６の内側に内部空間７を設け、リアカバー３の両側部ＬＳ，ＲＳにある係合凸部３１と係合凹部との係合を解除しようとするものである。
【００３８】
このため、第４の実施例では、図１１（ｂ）に示すように、リアカバー３に設けられた防水ガスケット６の内側の部分の内面に凹部３７が形成されて内部空間７が設けられている。また、リアケース２側にも凹部（実際は孔）があるので、内部空間７が大きくなっている。リアケース２にリアカバー３が取り付けられている状態では、リアケース２に形成された係合凹部２１にリアカバー３の係合凸部３１が係合しており、防水ガスケット６の先端部はリアケース２に密着している。また、リアカバー３の内面に設けられた全ての係合凸部３１の内側には突起４が設けられており、突起４の先端部はリアケース２に当接している。
【００３９】
そして、図１１（ｃ）に示すように、リアカバー３の内部空間７の反対側の部分に外力Ｐを印加すると、リアカバー３は凹部３７によって肉厚が薄くなっているので、リアカバー３が容易に変形して内部空間７内に移動する。リアカバー３が内部空間７内に移動して変形すると、リアカバー３の両端部は突起４を支点として広がり、リアカバー３の両側の端部３８に位置する係合凸部３１が浮き上がって係合凸部３１と係合凹部２１との係合が外れる。係合凸部３１と係合凹部２１との係合が外れてリアカバー３の左側部ＬＳと右側部ＲＳで端部３８が浮き上がれば、どちらかの側の端部３８に指を引っ掛けてリアカバー３を引き上げれば、リアカバー３がリアケース２から容易に外れる。
【００４０】
なお、第４の実施例では、全ての係合凸部３１の内側のリアカバー３の内面に、それぞれ突起４が設けられているが、突起４が設けられる部位はリアカバー３の内面でなくても良い。即ち、突起４は、第２の実施例と同様にリアケース２の上に設けられても良く、又第３の実施例と同様にリアケース２の上とリアカバー３の上の両方に設けられていても良い。更に、第４の実施例ではリアカバー３の内面に防水ガスケット６が設けられているが、第４の実施例の着脱機構は、防水ガスケット６が設けられていないリアカバー３にも適用できるものである。
【００４１】
以上、本出願を特にその好ましい実施の形態を参照して詳細に説明した。本出願の容易な理解のために、本出願の具体的な形態を以下に付記する。
【００４２】
（付記１）  リアケースを備え、該リアケースにリアカバーが着脱可能に取り付けられる携帯端末装置であって、
前記リアケースの外周縁部の複数個所に設けられた係合凹部と、
前記リアカバーに設けられ、前記リアカバーが前記リアケースに取り付けられた時に前記係合凹部に係合する係合凸部と、
前記係合凹部と前記係合凸部とが形成された位置よりも内側の前記リアケースの外面と前記リアカバーの内面の少なくとも一方に設けられた突起とを備え、
前記突起よりも内側の前記リアケースと前記リアカバーの対向面の少なくとも一方には、前記リアカバーの前記リアケース側への移動を可能とする内部空間を形成するための凹部が設けられ、
前記内部空間の外側から前記リアカバーが押圧され、前記リアカバーの押圧部が変形して前記内部空間側に移動した時に、前記突起を支点として前記係合凸部が移動し、前記係合凸部と前記係合凹部との係合が解除されることを特徴とする携帯端末装置。
（付記２）  前記突起が前記リアカバーの内面に設けられていることを特徴とする付記１に記載の携帯端末装置。
（付記３）  前記突起が前記リアケースの外面に設けられていることを特徴とする付記１に記載の携帯端末装置。
（付記４）  前記突起が前記リアカバーの内面と前記リアケースの外面の両方に、対向した状態で設けられていることを特徴とする付記１に記載の携帯端末装置。
（付記５）  前記凹部が、前記リアカバーの内面を窪ませることによって形成されていることを特徴とする付記１から４の何れかに記載の携帯端末装置。
【００４３】
（付記６）  前記凹部が、前記リアケースの外面を窪ませることによって形成されていることを特徴とする付記１から４の何れかに記載の携帯端末装置。
（付記７）  前記凹部が、前記携帯端末装置のフロントケースに設けられたバッテリ収納部の中央部に対応する前記リアカバーの内面側を窪ませることによって形成されていることを特徴とする付記１から４の何れかに記載の携帯端末装置。
（付記８）  前記凹部が、前記携帯端末装置のフロントケースに設けられたバッテリ収納部と前記リアケースの底部の近傍の外周縁部との間の部分に設けられていることを特徴とする付記５または６に記載の携帯端末装置。
（付記９）  前記リアカバーの内面側の前記リアケースに対向する位置であって、前記突起から離間した位置に防水ガスケットが設けられていることを特徴とする付記８に記載の携帯端末装置。
【符号の説明】
【００４４】
１    フロントケース
２    リアケース
３    リアカバー
４    突起
５、７    内部空間
６    防水ガスケット
１０    携帯端末装置（スマートフォン）
１１    筐体
２１    係合凹部
３１    係合凸部
【図１】
2014121072.tif 000003
【図２】
2014121072.tif 000004
【図３】
2014121072.tif 000005
【図４】
2014121072.tif 000006
【図５】
2014121072.tif 000007
【図６】
2014121072.tif 000008
【図７】
2014121072.tif 000009
【図８】
2014121072.tif 000010
【図９】
2014121072.tif 000011
【図１０】
2014121072.tif 000012
【図１１】
2014121072.tif 000013